(57)【要約】      （修正有）【課題】男性が立小便をする時に、理想的な排尿角度に成る様に排尿姿勢を自然に変えさせる男性の排尿飛散防止用傾斜付下駄を提供する。【解決手段】傾斜付下駄の基礎と成る台座１は堅牢な三本足構造とし約１５°の傾斜角度で爪先方向に下降させている。その台座１の表面には丈夫な鼻緒５を取り付けて有る。男性が小便器に向かって立小便をする時に排尿飛散防止用として履く下駄に傾斜を付けている。基礎と成る台座１には足の滑り止めと踏ん張りを目的とした爪先ストッパー２を設けている。傾斜付下駄を履いて小便器の前に立った男性は必然的に小便器に向かって膝を前方に突出し更に股間は大きく上向きに突き出すと共に体全体が弓なりの様な姿勢を取るので、排尿軌道を外さない理想的な角度が得られる事で小便器から外れて排尿飛散を起こす事は無い。【選択図】図１
0003191161.tif 000002
【実用新案登録請求の範囲】
【請求項１】
傾斜付下駄の基礎と成る台座は堅牢な三本足構造とし約１５°の傾斜角度で爪先方向に下降させている、その台座の表面には丈夫な鼻緒を取り付けて有り、男性が小便器に向かって立小便をする時に排尿飛散防止用として履くもので下駄に傾斜を付けている事を特徴とする、男性の排尿飛散防止用傾斜付下駄。
【請求項２】
基礎と成る台座には足の滑り止めと踏ん張りを目的とした爪先ストッパーを設けている事を特徴とする、請求項１記載の男性の排尿飛散防止用傾斜付下駄。
【考案の詳細な説明】
【考案の詳細な説明】
【技術分野】
【０００１】  男性が小便器に立小便をする時に、自然に小便器に向かって股間を上向きに突出し尿が小便器の外に飛散しない様に下駄に傾斜を持たせた事に関するものである。
【背景技術】
【０００２】男性の排尿飛散防止対策の先行技術文献に関しては既に、立体疑似形状体、尿飛散防止具、立ち位置指定マーク、傾斜付踏み台、等々が公開されている。しかし履物で排尿飛散を防止する文献は見当たらない。
【先行技術文献】
【特許文献】
【０００３】
【特許文献１】  特開２００９−６８２１５（Ｐ２００９−６８２１５Ａ）
【特許文献２】  特開２０１１−８３５８０（Ｐ２０１１−８３５８０Ａ）
【特許文献３】  特開２０１２−２４４４６（Ｐ２０１２−２４４４６Ａ）
【特許文献４】  実用新案登録第３１８７５０３号  公報（Ｕ）
【考案の概要】
【考案が解決しようとする課題】
【０００４】男性トイレは小便器の前の床面が尿で汚れ、時には尿が床面に流れ出している。小便をしたくても足のやり場がない且つ不衛生極まりない。この様な状況は男性なら誰でも知る周知の事実である。【０００５】男性用の小便器には床置小便器、壁掛小便器、等が有るがいずれの便器においても多くの男性が立小便をした後は便器の前の床面が汚れている。この様な状態は下駄やスリッパーに一度履き替えて立小便をするホテル、旅館、料亭、市民会館、集会場等の各施設に於いてさえも同様の有様である。【０００６】よって通常管理者側で備えている下駄やスリッパーに一度履き替えて立小便をする各施設のトイレの排尿飛散は火急的に先んじて解決を図る必要がある。【０００７】更に管理者側がトイレの利用者に気持ち良く使用して頂く為の清掃作業や心使いに伴う精神的負担も多大である、しかも多額の維持管理費を要する。
【課題を解決するための手段】
【０００８】本考案の傾斜付下駄は、通常管理者側で備えている下駄やスリッパーに代わるものとして提供するものである。その傾斜付下駄は表面を約１５°の傾斜角度で爪先方向に向かって降下させている事を特徴としている。【０００９】傾斜角度を付けた狙いは、約１５°の傾斜角度で爪先方向に向かって下降させた事で、傾斜付下駄を履いて小便器の前に立った男性は何れも本人の体形に区別なく従来の前傾姿勢、或いは直立姿勢から人間工学的に体の重心を自然に取ろうとするので、必然的に小便器に向かって膝を前方に突出し股間は大きく上向きに突出す、更に体全体が弓なりの様な姿勢を取るので排尿軌道を外さない理想的な角度が得られる。この様に下駄に傾斜を付けた事によって、無理がなく自然に理想的な排尿軌道が取れる様に立小便者に仕向ける事ができる。
【考案の効果】
【００１０】本考案の傾斜付下駄は約１５°の傾斜角度で爪先方向に下降させているので傾斜付下駄を履いて小便器に立った男性は、個人の体形に区別なく股間を大きく上向きに突出し、体全体を自然に弓なりの様な姿勢を取ってから排尿を開始するので、最初から理想的な排尿軌道で小便器に当たる事から小便器の外への排尿飛散は起こらない。【００１１】床面を排尿で汚す一番の原因で有ると推定する立小便を終える段階で、無意識に且つ無造作に大きく亀頭を前後に数回振り切る動作と腰を上下に大きく振る従来の動作は自ら無理して矯正する事もなく、従来通りの排尿動作であっても小便器から外れて排尿飛散を起こす事は無い。【００１２】従って従来通りの排尿動作をしても以前から気がかりだったズボンの股間辺りを排尿で汚す事もない。【００１３】トイレは理想通りいつも美しく利用されるので管理者側の清掃作業も軽微で済み精神的負担も無く維持管理費も減少する。【００１４】本考案の傾斜付下駄は構造が簡単なので製作も容易でコストも安い。
【図面の簡単な説明】
【００１５】
【図１】  本考案の傾斜付下駄の側面図。
【図２】  本考案の傾斜付下駄の平面図。
【考案を実施するための形態】
【００１６】本考案の傾斜付下駄は基本的には台座と成る部分は木製とし鼻緒は皮製等により大人の重量に耐える十分な強度がある材料とする。以下図面に基づいて説明をする。図１は傾斜付下駄の側面図である。台座１に足の滑り止めと踏ん張りを目的として爪先にストッパー２を設ける事で姿勢の安定性を確保する。台座の裏面は二ヶ所に変形凹形切抜き部分４からなる、つまり台座の支えは三本足３で構成する、台座の表面には歩行と姿勢を安定させる強度のある鼻緒５を取り付けている。
【００１７】二ヶ所の変形凹形切抜き部分４の施しは下駄の軽量化と強度を考慮したものである。又下駄の種類は大人用と子供用の二種類とし、下駄の構造により小便器までの短い距離は摺り足で歩くような恰好となる。
【００１８】本考案の傾斜付下駄は健常者が利用するもので有り身体に障害がある人は例外とする。
【実施例】
【００１９】管理者側が男性トイレに予め備えている従来形の下駄やスリッパーは取り止めて、本考案の傾斜付下駄を大人用と子供用の両方を備える。【００２０】本考案は傾斜付下駄である事から利用者は自然に膝を前に突出し股間を大きく上向きに突き出すと共に体全体が自然に弓なりの様な姿勢を取るので理想的な排尿軌道が終始とれている。又習慣化されている従来通りの排尿動作をしても小便器外への排尿飛散は起こらない。更に立小便者の立つ位置を予め示しておけば効果は確実なものと成る。【００２１】本考案の傾斜付下駄は、約１５°の傾斜が付いた下駄なので利用者にとっては初めての経験と成る。感覚は女性のハイヒールを履いた様になりその事から安全面に配慮する必要がある。管理者側としては排尿飛散対策として傾斜付下駄をご用意したので傾斜に御注意下さい、等の掲示を必ずする事。【００２２】特に立小便をする男性にとっては、傾斜付下駄のご注意の掲示を注視する事によって、小便器の外に尿を絶対に飛散させては駄目だと言う強いモラル意識が高まるので、更に便器に接近して排尿を開始すると共に排尿のコントロールも上達する。【００２３】時々排尿時の注意標語や注意の呼び掛けの掲示を見かけるが、しかし掲示だけでは立小便者のモラル意識を高めて排尿飛散を防ぐ事は難しい。従って本考案の傾斜付下駄は、立小便者に強いモラル意識と排尿姿勢の改善つまり心と体を一体化させて排尿させるので排尿飛散防止効果が発揮できる。
【産業上の利用の可能性】
【００２４】トイレの排尿飛散問題は、男女に限らず日本全国津々浦々トイレの有る所は全て潜在的に抱えている。特に男性用トイレに於いては利用者が下駄やスリッパーに一度履き替えてから立小便をする所の、ホテル、旅館、料亭、公衆浴場、市民会館、体育館、集会場等の各施設に於いても同様に小便器の前は尿で酷く汚れており非常に不衛生であるのに改善もせず排尿飛散は慢性化している。この状況は男性なら誰でも知る周知の事実である。この慢性化の状態を解決すべく下駄やスリッパーに一度履き替えて立小便をしなければならない各施設向けとして傾斜付下駄を考案したものである。
【００２５】本考案の傾斜付下駄は、特別な技術は要せず構造的に簡単である事から零細企業でも製作が容易に出来る更にコストも安く量産が出来る。需要先は全国津々浦々に及びその潜在的需要量は膨大である。従って高い生産性の期待が出来る且つ荒廃しつつある山林資源の活用が出来ると共に地揚産業の活性化、産地消費形商品と成りえる。物流、販売、広告と多くの関連産業にも大いに貢献ができる。よって傾斜付下駄が持つ機能から鑑み産業上の利用の可能性は十分にある。
【００２６】トイレの汚れは、おもてなしの心を持つ日本人に有るまじきこと。外国人観光客の増加や東京オリンピックを控えている今日、旧来から見過ごされて未解決に成っている排尿飛散問題は少額投資で早期に解決が図れる。
【００２７】本考案の傾斜付下駄は日常的な話題とし、この原始的とも見られるトイレの汚れの解決は、男性が各施設に於いて一度履き替えて立小便をする時には傾斜付下駄を履いてするのが当たり前、と言う新しい文化を早期に広める必要がある。
【符号の説明】
【００２８】１  下駄本体の台座
２  足の滑り止めと踏ん張りを目的とした爪先ストッパー
３  床面と接する台座の三本足
４  台座裏側の切抜き後の変形凹形形状
５  鼻緒
【図１】
0003191161.tif 000003
【図２】
0003191161.tif 000004